【手続補正書】
【提出日】平成30年6月25日(2018.6.25)
【手続補正１】
【補正対象書類名】明細書
【補正対象項目名】０２１１
【補正方法】変更
【補正の内容】
【０２１１】
本開示の範囲及び趣旨を逸脱することなく、当業者は、本開示の種々の修正及び変更を行うことができ、また、本発明は、本明細書に記載した例示的な実施形態に不当に限定されるべきではないと理解すべきである。本発明の実施態様の一部を以下の［項目１］−［項目１５］に記載する。
［項目１］
フルオロポリマーと、紫外線吸収オリゴマーとのブレンドを含む組成物であって、前記紫外線吸収オリゴマーは、
式：
【化２９】
2017528537.tif 000001
により表される第１の二価の単位と、
式：
【化３０】
2017528537.tif 000002
により表される第２の二価の単位と、を含む、組成物
［式中、
各Ｒ１は、独立に、水素又はメチルであり、
Ｖは、Ｏ又はＮＨであり、
Ｘは、結合、アルキレン、又はアルキレンオキシであり、アルキレン又はアルキレンオキシは１〜１０個の炭素原子を有し、かつ、場合により、１個以上の−Ｏ−基が導入されており、場合によりヒドロキシル基で置換されており、かつ
Ｒ２は、１〜４個の炭素原子を有するアルキルである］。
［項目２］
前記組成物が押し出しフィルムである、項目１に記載の組成物。
［項目３］
ヒンダードアミン系光安定剤を更に含む、項目１又は２に記載の組成物。
［項目４］
前記紫外線吸収オリゴマーが、式：
【化３１】
2017528537.tif 000003
により表される第３の二価の単位を更に含む、項目１〜３のいずれか一項に記載の組成物
［式中、
Ｒ１は、独立に、水素又はメチルであり、
Ｘは、結合、アルキレン、又はアルキレンオキシであり、アルキレン又はアルキレンオキシは１〜１０個の炭素原子を有し、かつ、場合により、１個以上の−Ｏ−基が導入されており、場合によりヒドロキシル基で置換されており、
Ｖは、Ｏ又はＮＨであり、かつ
Ｒ３は、水素、アルキル、オキシ、アルコキシ、又はアルカノンである］。
［項目５］
前記紫外線吸収オリゴマーが、式：
【化３２】
2017528537.tif 000004
により表される第５の二価の単位を更に含む、項目１〜４のいずれか一項に記載の組成物
［式中、
Ｒ１は、独立に、水素又はメチルであり、
Ｖは、Ｏ又はＮＨであり、
Ｘは、結合、アルキレン、又はアルキレンオキシであり、アルキレン又はアルキレンオキシは１〜１０個の炭素原子を有し、かつ、場合により、１個以上の−Ｏ−基が導入されており、場合によりヒドロキシル基で置換されており、
Ｒは、１〜４個の炭素原子を有するアルキルであり、
ｎは、０又は１であり、かつ
Ｚは、場合によりヒドロキシル、アルキル、ハロゲン、若しくはヒドロキシルで置換されたベンゾイル基、又は場合により１個以上のハロゲンで置換された２Ｈ−ベンゾトリアゾール−２−イル基である］。
［項目６］
前記紫外線吸収オリゴマーが、式：
【化３３】
2017528537.tif 000005
により表される第４の二価の単位を更に含む、項目１〜５のいずれか一項に記載の組成物
［式中、
Ｒｆは、場合により１個の−Ｏ−基が導入されており、１〜８個の炭素原子を有するフルオロアルキル基を表し、又はＲｆはポリフルオロポリエーテル基を表し、
Ｒ１は、独立に、水素又はメチルであり、
Ｑは、結合、−ＳＯ２−Ｎ（Ｒ５）−、又は−Ｃ（Ｏ）−Ｎ（Ｒ５）−であり、Ｒは１〜４個の炭素原子を有するアルキル又は水素であり、かつ
ｍは、０〜１０の整数である］。
［項目７］
前記組成物中の前記紫外線吸収オリゴマーが、前記組成物の全重量に対し１重量パーセント〜２５重量パーセントの範囲の量である、項目１〜６のいずれか一項に記載の組成物。
［項目８］
前記第２の二価の単位において、Ｒ１及びＲ２が両方メチルである、項目１〜７のいずれか一項に記載の組成物。
［項目９］
前記第２の二価の単位と、
窒素が水素、アルキル、アルコキシ、若しくはアルカノンで置換されたペンダント型２，２，６，６−テトラメチルピペリジニル基を含む、第３の二価の単位、又は
ベンゾフェノン及びベンゾトリアゾールから選択されたペンダント型紫外線吸収基を含む、第５の二価の単位、のうちの少なくとも１つとを含む、第２の異なるオリゴマーを更に含む、項目１〜８のいずれか一項に記載の組成物。
［項目１０］
前記フルオロポリマーが、前記ブレンドの全重量に対し少なくとも７０重量パーセントの量でブレンドに存在する、項目１〜９のいずれか一項に記載の組成物。
［項目１１］
前記ブレンドがポリ（メチルメタクリレート）を更に含む、項目１〜１０のいずれか一項に記載の組成物。
［項目１２］
前記フルオロポリマーが、エチレン−テトラフルオロエチレンコポリマー、テトラフルオロエチレン−ヘキサフルオロプロピレンコポリマー、テトラフルオロエチレン−ヘキサフルオロプロピレン−ビニリデンフルオリドコポリマー、又はポリビニリデンフルオリドからなる群から選択される、項目１〜１１のいずれか一項に記載の組成物。
［項目１３］
項目１〜１２のいずれか一項に記載の組成物を含む物品であって、前記物品が、光起電力デバイス、乗り物用のラッピング、グラフィックフィルム、建築用フィルム、又は窓用フィルムである、物品。
［項目１４］
式：
【化３４】
2017528537.tif 000006
により表される第１の二価の単位と、
式
【化３５】
2017528537.tif 000007
により表される第２の二価の単位と、を含む、紫外線吸収オリゴマー
［式中、
各Ｒ１は、独立に、水素又はメチルであり、
Ｖは、Ｏ又はＮＨであり、
Ｘは、結合、アルキレン、又はアルキレンオキシであり、アルキレン又はアルキレンオキシは１〜１０個の炭素原子を有し、かつ、場合により、１個以上の−Ｏ−基が導入されており、場合によりヒドロキシル基で置換されており、かつ
Ｒ２は、１〜２２個の炭素原子を有するアルキルである］。
［項目１５］
項目１４に記載の紫外線吸収オリゴマーを含む、感圧性接着剤。
【手続補正２】
【補正対象書類名】特許請求の範囲
【補正対象項目名】全文
【補正方法】変更
【補正の内容】
【特許請求の範囲】
【請求項１】
フルオロポリマーと、紫外線吸収オリゴマーとのブレンドを含む組成物であって、前記紫外線吸収オリゴマーは、
式：
【化１】
2017528537.tif 000008
により表される第１の二価の単位と、
式：
【化２】
2017528537.tif 000009
により表される第２の二価の単位と、を含む、組成物
［式中、
各Ｒ１は、独立に、水素又はメチルであり、
Ｖは、Ｏ又はＮＨであり、
Ｘは、結合、アルキレン、又はアルキレンオキシであり、アルキレン又はアルキレンオキシは１〜１０個の炭素原子を有し、かつ、場合により、１個以上の−Ｏ−基が導入されており、場合によりヒドロキシル基で置換されており、かつ
Ｒ２は、１〜４個の炭素原子を有するアルキルである］。
【請求項２】
前記紫外線吸収オリゴマーが、式：
【化３】
2017528537.tif 000010
により表される第３の二価の単位を更に含む、請求項１に記載の組成物
［式中、
Ｒ１は、独立に、水素又はメチルであり、
Ｘは、結合、アルキレン、又はアルキレンオキシであり、アルキレン又はアルキレンオキシは１〜１０個の炭素原子を有し、かつ、場合により、１個以上の−Ｏ−基が導入されており、場合によりヒドロキシル基で置換されており、
Ｖは、Ｏ又はＮＨであり、かつ
Ｒ３は、水素、アルキル、オキシ、アルコキシ、又はアルカノンである］。
【請求項３】
前記紫外線吸収オリゴマーが、式：
【化４】
2017528537.tif 000011
により表される第５の二価の単位を更に含む、請求項１又は２に記載の組成物
［式中、
Ｒ１は、独立に、水素又はメチルであり、
Ｖは、Ｏ又はＮＨであり、
Ｘは、結合、アルキレン、又はアルキレンオキシであり、アルキレン又はアルキレンオキシは１〜１０個の炭素原子を有し、かつ、場合により、１個以上の−Ｏ−基が導入されており、場合によりヒドロキシル基で置換されており、
Ｒは、１〜４個の炭素原子を有するアルキルであり、
ｎは、０又は１であり、かつ
Ｚは、場合によりヒドロキシル、アルキル、ハロゲン、若しくはヒドロキシルで置換されたベンゾイル基、又は場合により１個以上のハロゲンで置換された２Ｈ−ベンゾトリアゾール−２−イル基である］。
【請求項４】
前記紫外線吸収オリゴマーが、式：
【化５】
2017528537.tif 000012
により表される第４の二価の単位を更に含む、請求項１〜３のいずれか一項に記載の組成物
［式中、
Ｒｆは、場合により１個の−Ｏ−基が導入されており、１〜８個の炭素原子を有するフルオロアルキル基を表し、又はＲｆはポリフルオロポリエーテル基を表し、
Ｒ１は、独立に、水素又はメチルであり、
Ｑは、結合、−ＳＯ２−Ｎ（Ｒ５）−、又は−Ｃ（Ｏ）−Ｎ（Ｒ５）−であり、Ｒは１〜４個の炭素原子を有するアルキル又は水素であり、かつ
ｍは、０〜１０の整数である］。
【請求項５】
前記第２の二価の単位と、
窒素が水素、アルキル、アルコキシ、若しくはアルカノンで置換されたペンダント型２，２，６，６−テトラメチルピペリジニル基を含む、第３の二価の単位、又は
ベンゾフェノン及びベンゾトリアゾールから選択されたペンダント型紫外線吸収基を含む、第５の二価の単位、のうちの少なくとも１つとを含む、第２の異なるオリゴマーを更に含む、請求項１〜４のいずれか一項に記載の組成物。
【請求項６】
前記ブレンドがポリ（メチルメタクリレート）を更に含む、請求項１〜５のいずれか一項に記載の組成物。
【請求項７】
前記フルオロポリマーが、エチレン−テトラフルオロエチレンコポリマー、テトラフルオロエチレン−ヘキサフルオロプロピレンコポリマー、テトラフルオロエチレン−ヘキサフルオロプロピレン−ビニリデンフルオリドコポリマー、又はポリビニリデンフルオリドからなる群から選択される、請求項１〜６のいずれか一項に記載の組成物。
【請求項８】
請求項１〜７のいずれか一項に記載の組成物を含む物品であって、前記物品が、光起電力デバイス、乗り物用のラッピング、グラフィックフィルム、建築用フィルム、又は窓用フィルムである、物品。
【請求項９】
紫外線吸収オリゴマーを含む感圧性接着剤であって、前記紫外線吸収オリゴマーは、
式：
【化６】
2017528537.tif 000013
により表される第１の二価の単位と、
式
【化７】
2017528537.tif 000014
により表される第２の二価の単位と、を含む、感圧性接着剤
［式中、
各Ｒ１は、独立に、水素又はメチルであり、
Ｖは、Ｏ又はＮＨであり、
Ｘは、結合、アルキレン、又はアルキレンオキシであり、アルキレン又はアルキレンオキシは１〜１０個の炭素原子を有し、かつ、場合により、１個以上の−Ｏ−基が導入されており、場合によりヒドロキシル基で置換されており、かつ
Ｒ２は、１〜２２個の炭素原子を有するアルキルである］。